(57)【要約】【課題】特に冬期スポーツ用等で使用するキャップにおいて、競技中等にクラウン部内の蒸れを防止し、常に快適な状態で競技を行うことが出来るキャップを提供する。【解決手段】キャップ本体１はクラウン部２と、このクラウン部２の一部に所定の長さと幅で取付けたツバ部３とで構成され、前記クラウン部２は、表地４と裏地５の通気性のある頂部側５ａとを、天然繊維と化学繊維との混紡繊維により形成し、またクラウン部２の頂部側５ａを除く裏地５を化学繊維により形成してある。クラウン部２の表地４と裏地５の通気性のある頂部側５ａとを、例えば、アクリル，ナイロン等の化学繊維と，ウール等の天然繊維との混紡繊維により形成し、またクラウン部２の頂部側５ａを除く裏地５を例えば、ポリエステル等の化学繊維により形成するものである。【選択図】  図２
2008121160.tif 000002
【特許請求の範囲】
【請求項１】
表地と裏地とで構成されたキャップ本体のクラウン部と、このクラウン部の一部に所定の長さと幅で取付けたツバ部とで構成されたキャップであって、
前記クラウン部の裏地の頂部側を、所定の大きさで通気性ある材料により構成したことを特徴とするキャップ。
【請求項２】
前記クラウン部の表地と裏地の頂部側とを、天然繊維と化学繊維との混紡繊維により形成し、クラウン部の頂部側を除く裏地を化学繊維により形成した請求項１に記載のキャップ。
【請求項３】
前記クラウン部の表地と裏地の頂部側とを、アクリル，ナイロン，ウールの混紡繊維により形成し、クラウン部の頂部側を除く裏地をポリエステルにより形成した請求項２に記載のキャップ。
【請求項４】
前記クラウン部の頂部側を除く裏地を、０．２５〜１．６デニールのポリエステル繊維から成るフリース素材により形成した請求項３に記載のキャップ。
【請求項５】
前記クラウン部の表地の周縁部に、折り返し部を一体的に形成した請求項１，２，３または４に記載のキャップ。
【発明の詳細な説明】
【技術分野】
【０００１】
この発明は、主に冬期のスポーツ等で使用するキャップに係わり、更に詳しくはクラウン部の頂部側を通気性の良好な材料により形成した冬期のゴルフ用に最適なキャップに関するものである。
【背景技術】
【０００２】
従来、スポーツ等で使用するキャップとしては、夏期等で使用するキャップと、冬期のスポーツ用等で使用するキャップの他、一年を通して使用するオールシースンタイプのキャップが知られている。
【０００３】
特に、夏期等で使用するキャップは、直射日光等を遮り、かつ汗等をかいた場合に蒸れないようにメッシュタイプのキャップの他、頭部を冷却するためにクラウン部に多数の通気穴部を設けたキャップ（例えば、特許文献１参照）が知られている。
【０００４】
一方、スキー，スケート，ゴルフ等において使用される冬期スポーツ用のキャップは、毛糸等の天然繊維や、アクリル，ナイロン等の化学繊維により形成されたものが多い。
【０００５】
このような冬期スポーツ用のキャップの場合にも、競技中には競技者は汗をかく場合が多く、キャップの通気性が悪い場合には、クラウン部内で蒸れたり、髪が汚れ、更に競技者に不快感を及ぼし競技者の十分な実力を発揮することが出来ない等の問題あった。
【特許文献１】特開２００５−２９０５６６号公報
【発明の開示】
【発明が解決しようとする課題】
【０００６】
この発明はかかる従来の問題点に着目し、特に冬期スポーツ用等で使用するキャップにおいて、競技中等にクラウン部内の蒸れを防止し、常に快適な状態で競技を行うことが出来るキャップを提供することを目的とするものである。
【課題を解決するための手段】
【０００７】
この発明は上記目的を達成するため、表地と裏地とで構成されたキャップ本体のクラウン部と、このクラウン部の一部に所定の長さと幅で取付けたツバ部とで構成されたキャップであって、前記クラウン部の裏地の頂部側を、所定の大きさで通気性ある材料により構成したことを要旨とするものである。
【０００８】
ここで、前記クラウン部の表地と裏地の頂部側とを、天然繊維と化学繊維との混紡繊維により形成し、クラウン部の頂部側を除く裏地を化学繊維により形成し、前記クラウン部の表地と裏地の頂部側とを、アクリル，ナイロン，ウールの混紡繊維により形成し、クラウン部の頂部側を除く裏地をポリエステルにより形成するものである。また前記クラウン部の頂部側を除く裏地を、０．２５〜１．６デニールのポリエステル繊維から成るフリース素材により形成するものである。また前記クラウン部の表地の周縁部に、折り返し部を一体的に形成することも可能である。
【０００９】
このように、クラウン部の裏地の頂部側を、所定の大きさで通気性ある材料により構成したことにより、競技中等にクラウン部内の蒸れを防止し、常に快適な状態で競技を行うことが出来るものである。
【発明の効果】
【００１０】
この発明は、上記のように表地と裏地とで構成されたキャップ本体のクラウン部と、このクラウン部の一部に所定の長さと幅で取付けたツバ部とで構成されたキャップであって、前記クラウン部の裏地の頂部側を、所定の大きさで通気性ある材料により構成したので、競技中等にクラウン部内の蒸れを防止し、常に快適な状態で競技を行うことが出来、またクラウン部内の蒸れが少ないので、競技者の髪が汚れたり、更に競技者に不快感を及ぼすことが少なく、競技者の実力を十分に発揮させることが期待出来る。
【発明を実施するための最良の形態】
【００１１】
以下、添付図面に基づき、この発明の実施形態を説明する。
図１は、この発明を実施した冬期ゴルフ用のキャップの正面側から見た斜視図、図２は図１の底面図、図３は図２のＡ−Ａ矢視断面図を示し、前記キャップ本体１はクラウン部２と、このクラウン部２の一部に所定の長さ（Ｌ）と幅（Ｈ）で取付けたツバ部３とで構成され、前記クラウン部２は、表地４と裏地５の通気性のある頂部側５ａとを、天然繊維と化学繊維との混紡繊維により形成し、またクラウン部２の頂部側５ａを除く裏地５を化学繊維により形成してある。
【００１２】
即ち、前記クラウン部２の表地４と裏地５の通気性のある頂部側５ａとを、例えば、アクリル，ナイロン等の化学繊維と，ウール等の天然繊維との混紡繊維により形成し、またクラウン部２の頂部側５ａを除く裏地５を例えば、ポリエステル等の化学繊維により形成するものである。また前記クラウン部の頂部側を除く裏地を、０．２５〜１．６デニールのポリエステル繊維から成るフリース素材により形成することも可能である。このように構成することで、より保温性を保つことが可能になり、特に冬期のゴルフ用には最適なキャップとすることが出来る。      
【００１３】
また前記クラウン部２の表地４の周縁部には、耳等を覆う折り返し部６が一体的に形成してある。このように折り返し部６を一体的に形成することで、特に寒さや風の強い時には、折り返し部６を開いて耳を覆うことが可能である。また折り返して収納してしまえばスイング時の障害にならないため、一日の寒暖や天候条件の変化に対しても対応することが可能で好ましい。
【００１４】
また前記クラウン部２の一部に一体的に形成したツバ部３の長さ（Ｌ）としては、男性用の場合、５２ｍｍ〜８０ｍｍが好ましく、また女性用の場合としては、８２ｍｍ〜１１０ｍｍであることが好ましい。即ち、男性用のキャップのツバ部３の長さ（Ｌ）については、男性ゴルファーは比較的スイング時の前傾角度が深く、その事を考慮した結果、上記の範囲に設定する事によってスイング時の障害にならずに、かつ万一の打球事故をツバによって未然に防ぐことが可能となり好ましい。
【００１５】
また、女性用のキャップのツバ部３の長さ（Ｌ）については、女性ゴルファーは比較的スイング時の前傾角度が浅く、その事を考慮した結果、上記の範囲に設定する事によってスイング時の障害にならずに、かつ万一の打球事故をツバによって未然に防ぐことが可能となり、更に日焼けを少しでも防ぐことが可能となり好ましい。
【００１６】
また、前記裏地５の通気性のある頂部側５ａの構成としては、表地４と同じ素材を使用するが、メッシュ状の粗い状態で構成することで通気性を良好にし、クラウン部２内の蒸れを防止している。この頂部側５ａのメッシュ部分の大きさとしては、メッシュ部分の高さを(H1)とし、キャップ本体１の高さ(H2)とした場合、その比率(H1/H2) は、0.3 〜0.45であることが好ましい。この範囲に設定することで、着帽した時の蒸れをより防止し、かつ十分な保温性を保つことが可能となり好ましい。
【００１７】
以上のように、クラウン部２の裏地５の頂部側５ａを、所定の大きさで通気性ある材料により構成したので、競技中等にクラウン部２内の蒸れを防止し、常に快適な状態で競技を行うことが出来る。またクラウン部２内の蒸れが少ないので、競技者の髪が汚れたり、更に競技者に不快感を及ぼすことが少なく、競技者の実力を十分に発揮させることが期待出来、特に冬期ゴルフ等に使用するには最適である。
【図面の簡単な説明】
【００１８】
【図１】この発明を実施した冬期ゴルフ用のキャップの正面側から見た斜視図である。
【図２】図１の底面図である。
【図３】図２のＡ−Ａ矢視断面図である。
【符号の説明】
【００１９】
１  キャップ本体                  
２  クラウン部
３  ツバ部                        
４  表地
５  裏地                        
５ａ  頂部側
６  折り返し部
Ｌ  ツバ部の長さ                  
Ｈ  ツバ部の幅
【図１】
2008121160.tif 000003
【図２】
2008121160.tif 000004
【図３】
2008121160.tif 000005